(57)【特許請求の範囲】
【請求項１】
画像を表示する第１表示手段と、この第１表示手段に対して操作された位置を検出する第１入力手段とを備えた第１表示入力手段と、
画像を表示する第２表示手段と、この第２表示手段に対して操作された位置を検出する第２入力手段とを備えた第２表示入力手段と、
前記第１入力手段の検出結果に基づいて、前記第１表示手段に表示される描画オブジェクトをターゲットとして指定するターゲット指定手段と、
前記第２入力手段を通じて、前記第２表示手段の位置の指定を受け付ける位置受付手段と、
前記ターゲット指定手段がターゲットとして指定した描画オブジェクトを、前記位置受付手段が受け付けた前記第２表示手段の位置に表示する表示制御手段と、
ユーザからオン操作を受け付ける第３入力手段と
を備え、
前記位置受付手段は、前記ターゲット受付手段が前記指示を受け付けた後、前記第３入力手段がオン操作された状態で、前記第２入力手段を通じて、前記第２表示手段の位置の指定を受け付ける
ことを特徴とする携帯端末装置。
【請求項２】
画像を表示する第１表示手段と、この第１表示手段に対して操作された位置を検出する入力手段とを備えた第１表示入力手段と、
画像を表示する第２表示手段と、
姿勢を検出する姿勢検出手段と、
前記第１入力手段の検出結果に基づいて、前記第１表示手段に表示される描画オブジェクトを指定するターゲット指定手段と、
前記ターゲット指定手段がターゲットとして指定した描画オブジェクトを、前記姿勢検出手段の検出結果に応じた前記第２表示手段の位置に表示する表示制御手段と、
ユーザからオン操作を受け付ける第３入力手段と
を備え、
前記位置受付手段は、前記ターゲット受付手段が前記指示を受け付けた後、前記第３入力手段がオン操作された状態で、前記第２入力手段を通じて、前記第２表示手段の位置の指定を受け付ける
ことを特徴とする携帯端末装置。
【請求項３】
前記ターゲット指定手段は、前記第１表示手段に表示される描画オブジェクトに対して指でつまむ操作を前記第１入力手段が検出した場合に、このつまむ操作の対象となる描画オブジェクトをターゲットとして指定することを特徴とする請求項１または請求項２に記載の携帯端末装置。
【発明の詳細な説明】
【技術分野】
【０００１】
この発明は、例えば携帯電話機やゲーム機などの携帯端末装置に関する。
【背景技術】
【０００２】
周知のように、携帯電話機やゲーム機などの携帯端末装置は、携帯性を維持する観点から、大きな表示部を備えることが難しい。このため、近時、携帯端末装置は、複数の表示部を備えることで、より多くの視覚的な情報をユーザに提供できるようになった。
【０００３】
しかしながら、従来の携帯端末装置では、例えば２つの表示部を備える場合、一方の表示部に表示しているオブジェクトを、他方の表示部に移動させて表示させる場合、物理的に両表示部が分かれているため、ユーザがオブジェクトを自由に移動させる操作が複雑になったり、直感的にわかりにくい操作を行う必要があるなどの問題があった（例えば、特許文献１参照）。
【先行技術文献】
【特許文献】
【０００４】
【特許文献１】特開２００４−２８０３１９号公報
【発明の概要】
【発明が解決しようとする課題】
【０００５】
この発明は上記の問題を解決すべくなされたもので、簡単で直感的にわかりやすい操作で、オブジェクトを複数の表示部間で移動させて表示させることが可能な携帯端末装置を提供することを目的とする。
【課題を解決するための手段】
【０００６】
上記の目的を達成するために、この発明は、画像を表示する第１表示手段と、この第１表示手段に対して操作された位置を検出する第１入力手段とを備えた第１表示入力手段と、画像を表示する第２表示手段と、この第２表示手段に対して操作された位置を検出する第２入力手段とを備えた第２表示入力手段と、前記第１入力手段の検出結果に基づいて、前記第１表示手段に表示される描画オブジェクトをターゲットとして指定するターゲット指定手段と、前記第２入力手段を通じて、前記第２表示手段の位置の指定を受け付ける位置受付手段と、前記ターゲット指定手段がターゲットとして指定した描画オブジェクトを、前記位置受付手段が受け付けた前記第２表示手段の位置に表示する表示制御手段と、ユーザからオン操作を受け付ける第３入力手段とを備え、前記位置受付手段は、前記ターゲット受付手段が前記指示を受け付けた後、前記第３入力手段がオン操作された状態で、前記第２入力手段を通じて、前記第２表示手段の位置の指定を受け付けるようにした。
【発明の効果】
【０００７】
以上述べたように、この発明では、第１表示手段に表示される描画オブジェクトを指定する指示を受け付けるとともに、第２表示手段の位置の指定を受け付け、上記描画オブジェクトを、第２表示手段の上記位置に表示するようにしている。  
したがって、この発明によれば、簡単で直感的にわかりやすい操作で、オブジェクトを複数の表示部間で移動させて表示させることが可能な携帯端末装置を提供できる。
【図面の簡単な説明】
【０００８】
【図１】この発明に係わる携帯端末装置の一実施形態の外観を示す図。
【図２】図１に示した携帯端末装置の構成を示す回路ブロック図。
【図３】図１に示した携帯端末装置の動作を説明するためのフローチャート。
【発明を実施するための形態】
【０００９】
以下、図面を参照して、この発明の一実施形態について説明する。  
この発明の一実施形態に係わる携帯端末装置は、例えば、携帯電話機やPDA(Personal Digital Assistants)、携帯型ゲーム機などであって、以下の説明では、携帯電話機を例に挙げて説明する。
【００１０】
図１は、この発明の一実施形態に係わる携帯電話機の外観を示すものである。すなわち、この携帯電話機は、第１筐体１と第２筐体２をヒンジ３にて回動自在に接続された構造を有する折りたたみ式の携帯電話機である。なお、ここでは図１に示すような折りたたみ式の携帯電話機を例に挙げて説明するが、その他、スライド式で変形する携帯電話機や、変形する機構を備えない携帯電話機であってもよい。
【００１１】
図２は、図１に示した携帯電話機の構成を示すブロック図である。この図に示すように、主な構成要素として、無線通信部１０と、表示入力部２０と、通話部３０と、操作部４０と、カメラ部４１と、記憶部５０と、赤外線通信部６０と、ＧＰＳ受信部７０と、モーションセンサ部８０と、電源部９０と、主制御部１００とを備え、主な機能として基地局装置ＢＳおよび移動通信網ＮＷを介した移動無線通信を行う無線通信機能を備える。
【００１２】
無線通信部１０は、主制御部１００の指示にしたがって、移動通信網ＮＷに収容された基地局装置ＢＳと無線通信を行うものであって、これにより、音声データや電子メールデータなどの送受信、Ｗｅｂデータやストリーミングデータなどの受信を行う。
【００１３】
表示入力部２０は、主制御部１００の制御により、画像（静止画像および動画像）や文字情報などを表示して視覚的にユーザに情報を伝達するとともに、表示した情報に対するユーザ操作を検出する、いわゆるタッチパネルであって、第１タッチパネル２１と第２タッチパネル２２を備える。
【００１４】
第１タッチパネル２１は、LCD(Liquid Crystal Display)などの表示パネル２１ａと、操作パネル２１ｂとを備え、同様に、第２タッチパネル２２は、LCDなどの表示パネル２２ａと、操作パネル２２ｂとを備える。そして例えば、図１に示すように、第１タッチパネル２１は、第１筐体１に搭載され、第２タッチパネル２２は、第２筐体２に搭載される。
【００１５】
操作パネル２１ｂ、２２ｂは、それぞれ表示パネル２１ａ、２２ａに表示される画像を視認可能な透明素材からなり、表示パネル２１ａ、２２ａの表示面上に載置され、ユーザの指や尖筆によって操作された座標を検出するためのデバイスである。このデバイスによって検出された検出信号は、主制御部１００に出力され、主制御部１００は、上記検出信号に基づいて、表示パネル２１ａあるいは２２ａ上の操作された位置（座標）を検出する。操作パネル２１ｂ、２２ｂで採用される位置検出方式としては、マトリクススイッチ方式、抵抗膜方式、表面弾性波方式、赤外線方式、電磁誘導方式、静電容量方式などがあり、いずれの方式であってもよい。
【００１６】
通話部３０は、スピーカ３１やマイクロホン３２を備え、マイクロホン３２を通じて入力されたユーザの音声を主制御部１００にて処理可能な音声データに変換して主制御部１００に出力したり、無線通信部１０あるいは赤外線通信部６０により受信された音声データを復号してスピーカ３１から出力するものである。そして例えば、図１に示すように、スピーカ３１は、第１筐体１に搭載され、マイクロホン３２は、第２筐体２に搭載される。
【００１７】
操作部４０は、キースイッチなどを用いたハードウェアキーであって、これを通じてユーザから指示を受け付けるものである。例えば、図１に示すように、第２筐体２の第２タッチパネル２２の近傍に搭載され、指などで押下されるとオンとなり、指を離すとバネなどの復元力によってオフ状態となる押しボタン式のスイッチである。
【００１８】
カメラ部４１は、CMOS(Complementary Metal Oxide Semiconductor)やCCD(Charge-Coupled Device)などの撮像素子を用いて電子撮影するデジタルカメラであって、主制御部１００の制御により、撮像によって得た画像データを例えばJPEG(Joint Photographic coding Experts Group)などの圧縮した画像データに変換し、後述する記憶部５０に記録する。例えば、図１に示すように、第１筐体１の第１タッチパネル２１の近傍に搭載される。
【００１９】
記憶部５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、記憶部５０は、ＨＤＤ、ＲＡＭ、ＲＯＭ、ＩＣメモリなどの１つまたは複数の記憶手段を含むものである。
【００２０】
赤外線通信部６０は、赤外線通信機能を有する対向機器（例えば、他の携帯電話機ＭＳ）と赤外線通信を行うものであって、主制御部１００によって動作設定がなされ、主制御部１００から与えられる送信データを赤外線光で送信したり、対向機器から赤外線光で送信されるデータを受信し、これを受信データとして主制御部１００に出力する。
【００２１】
ＧＰＳ受信部７０は、主制御部１００の指示にしたがって、GPS(Global Positioning System)衛星ＳＴ１〜ＳＴｎから送信されるGPS信号を受信し、受信した複数のGPS信号に基づく測位演算処理を実行し、当該携帯電話機の緯度、経度、高度からなる位置情報を検出する。
【００２２】
モーションセンサ部８０は、例えば３軸の加速度センサなどを備え、主制御部１００の指示にしたがって、当該携帯電話機の物理的な動きを検出する。これにより、当該携帯電話機が動く方向や早さが検出される。この検出結果は、主制御部１００に出力される。  
電源部９０は、主制御部１００の指示にしたがって、当該携帯電話機の各部に、バッテリ（図示しない）に蓄えられる電力を供給するものである。
【００２３】
主制御部１００は、マイクロプロセッサを備え、記憶部５０が記憶する制御プログラムや制御データにしたがって動作し、当該携帯電話機の各部を統括して制御するものであって、無線通信部１０を通じて、音声通信やデータ通信を行うために、通信系の各部を制御する移動通信制御機能と、アプリケーション処理機能を備える。
【００２４】
アプリケーション処理機能は、記憶部５０が記憶するアプリケーションソフトウェアにしたがって主制御部１００が動作することにより実現するものであって、例えば、赤外線通信部６０を制御して対向機器とデータ通信を行う赤外線通信機能や、電子メールの送受信を電子メール機能、Webページを閲覧するWebブラウジング機能などがある。
【００２５】
また、主制御部１００は、受信データやダウンロードしたストリーミングデータなどの画像データ（静止画像や動画像のデータ）に基づいて、映像を表示入力部２０に表示したりする画像処理機能を備える。この画像処理機能は、主制御部１００が、上記画像データを復号し、この復号結果に画像処理を施して、画像を表示入力部２０に表示する。
【００２６】
そして、主制御部１００は、表示パネル２１ａ、２２ａに対する表示制御と、操作部４０、第１タッチパネル２１および第２タッチパネル２２を通じたユーザ操作を検出し、この操作に応じた種々の制御動作を行う。
【００２７】
主制御部１００は、例えば、表示パネル２１ａの表示領域と表示パネル２２ａの表示領域をひと続きの表示領域として扱い、仮想的にデスクトップを表示し、このデスクトップ上に複数のアイコンを表示し、これらのアイコンに対する操作を、操作部４０、第１タッチパネル２１および第２タッチパネル２２に対する単独の操作、あるいは組み合わせた操作により受け付ける。
【００２８】
また主制御部１００は、第１タッチパネル２１あるいは第２タッチパネル２２に対するジェスチャ操作を検出し、検出したジェスチャ操作に応じて、予め設定された機能を実行する。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００２９】
次に、上記構成の携帯電話機の動作について説明する。以下の説明では、第１タッチパネル２１（あるいは第２タッチパネル２２）に表示させた描画オブジェクトを、第２タッチパネル２２（あるいは第１タッチパネル２１）に移動させて表示させる場合の動作について説明する。この動作は、図３に示す処理を主制御部１００が実行することにより実現されるものであって、当該携帯電話機の電源が投入され、第１タッチパネル２１および第２タッチパネル２２を通じた入力を受け付ける状態になると、繰り返し実行される。なお、図３に示す処理の制御プログラムおよび制御データは、記憶部５０に記憶される。
【００３０】
まず、ステップ３ａにおいて主制御部１００は、操作パネル２１ｂあるいは２２ｂの検出結果に基づき、第１タッチパネル２１あるいは第２タッチパネル２２に対して、タッチ操作が行われているか否かを判定する。ここで、操作パネル２１ｂあるいは２２ｂから検出信号が与えられ、タッチ操作が行われていると判定した場合には、ステップ３ｂに移行し、一方、検出信号が与えられず、タッチ操作が行われていないと判定した場合には、ステップ３ａに移行して、再び上記判定を行う。
【００３１】
ステップ３ｂにおいて主制御部１００は、ステップ３ａで与えられた検出信号に基づいて、タッチ操作された座標を検出し、ステップ３ｃに移行する。なお、ここで検出される座標には、第１タッチパネル２１と第２タッチパネル２２のうち、いずれが操作されたかを識別する情報も含まれる。
【００３２】
ステップ３ｃにおいて主制御部１００は、ステップ３ｂで検出した座標に、描画オブジェクトが表示されているか否かを判定する。ここで、描画オブジェクトが上記座標に表示されていることを検出した場合には、ステップ３ｄに移行し、一方、検出できない場合には、ステップ３ａに移行する。なお、この時点で、ステップ３ａで検出したタッチ操作が終了している場合、すなわち、上記タッチ操作が継続していない場合には、ステップ３ａに移行する。
【００３３】
ステップ３ｄにおいて主制御部１００は、操作部４０（ハードウェアキー）が押下されたか否かを判定する。ここで、操作部４０が押下された場合には、ステップ３ｅに移行し、一方、押下されていない場合には、ステップ３ａに移行する。なお、この時点で、ステップ３ａで検出したタッチ操作が終了している場合、すなわち、上記タッチ操作が継続していない場合には、ステップ３ａに移行する。
【００３４】
ステップ３ｅにおいて主制御部１００は、ステップ３ｂで検出した座標の描画オブジェクト、すなわちステップ３ｃで検出した描画オブジェクトを、表示位置を変更するターゲットとして設定し、ステップ３ｆに移行する。これにより、描画オブジェクト（ターゲット）は、ホールド状態となる。
【００３５】
ステップ３ｆにおいて主制御部１００は、操作部４０が押下された状態のまま、ステップ３ａで検出したタッチ操作を解除しているか否かを判定する。ここで、操作部４０が押下された状態のまま、ステップ３ａで検出したタッチ操作が解除されたことを検出した場合には、ステップ３ｈに移行し、一方、それ以外の場合、すなわち、タッチ操作が解除されない場合や、上記タッチ操作が解除される前に、操作部４０の押下が解除された場合には、ステップ３ｇに移行する。
【００３６】
ステップ３ｇにおいて主制御部１００は、操作部４０の押下が解除されたか否かを判定する。ここで、操作部４０の押下が解除された場合には、ステップ３ｌに移行し、一方、操作部４０の押下が解除されていない場合には、ステップ３ｆに移行する。
【００３７】
ステップ３ｈにおいて主制御部１００は、操作パネル２１ｂあるいは２２ｂの検出結果に基づき、第１タッチパネル２１あるいは第２タッチパネル２２に対して、タッチ操作が行われているか否かを判定する。ここで、操作パネル２１ｂあるいは２２ｂから検出信号が与えられ、タッチ操作が行われていると判定した場合には、ステップ３ｉに移行し、一方、検出信号が与えられず、タッチ操作が行われていないと判定した場合には、ステップ３ｋに移行する。
【００３８】
ステップ３ｉにおいて主制御部１００は、ステップ３ｈで与えられた検出信号に基づいて、タッチ操作された座標を検出し、ステップ３ｊに移行する。なお、ここで検出される座標には、第１タッチパネル２１と第２タッチパネル２２のうち、いずれが操作されたかを識別する情報も含まれる。
【００３９】
ステップ３ｊにおいて主制御部１００は、ターゲットに設定した描画オブジェクトを、現在の表示位置に代わって、ステップ３ｉで検出した座標に表示し、ステップ３ｋに移行する。これにより、例えばステップ３ｂで検出した座標が第１タッチパネル２１上の座標であって、一方、ステップ３ｊで検出した座標が第２タッチパネル２２上の座標である場合には、ターゲットである描画オブジェクトが、第１タッチパネル２１から第２タッチパネル２２に移動して表示されることになる。
【００４０】
ステップ３ｋにおいて主制御部１００は、操作部４０の押下が解除されたか否かを判定する。ここで、操作部４０の押下が解除された場合には、ステップ３ｌに移行し、一方、操作部４０の押下が解除されていない場合には、ステップ３ｈに移行する。  
ステップ３ｌにおいて主制御部１００は、ステップ３ｅで設定したターゲット設定を解除し、ステップ３ａに移行する。
【００４１】
以上のように、上記構成の携帯電話機では、タッチ操作とハードウェアキー（操作部４０）とを合わせた操作により移動対象（ターゲット）となる描画オブジェクトを指定し、その後、タッチ操作により移動先の位置を指定することで、描画オブジェクトを移動先に表示するようにしている。
【００４２】
したがって、上記構成の携帯電話機によれば、簡単で直感的にわかりやすい操作で、描画オブジェクトを複数のタッチパネル間で目的の位置に正確に移動させて表示させることができる。
【００４３】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４４】
その一例として例えば、上記実施の形態では、移動対象となる描画オブジェクトをタッチ操作とハードウェアキー（操作部４０）とを合わせた操作により、ターゲット設定するようにしたが、その他のアクションにより設定するようにしてもよい。
【００４５】
例えば、操作パネル２１ｂおよび２２ｂとして多点入力を感知可能なマルチタッチ型のデバイスを用いて、操作パネル（２１ｂまたは２２ｂ）上でユーザが移動対象としたい描画オブジェクトに対して２本の指などで「つまむ」操作を行ったことを、主制御部１００が操作パネル２１ｂまたは２２ｂの検出信号から判断する。
【００４６】
具体的には、２つの検出点が移動する方向の間に存在する描画オブジェクトに対して、主制御部１００がターゲット設定する。この他、移動対象としたい描画オブジェクトに対するタップ操作や、ダブルクリック操作、１秒以上の連続した接触操作などを上記検出信号から主制御部１００が検出し、操作された描画オブジェクトをターゲット設定するようにしてもよい。
【００４７】
また上記実施の形態では、ステップ３ｅで描画オブジェクトをターゲットとして設定した後も、ハードウェアキー（操作部４０）を押し続けることで、ターゲット設定の解除を防止する、すなわちホールドするようにしたが、これに代わって例えば、いったんターゲット設定した後は、ハードウェアキー（操作部４０）に対する操作を終了しても、ターゲット設定した状態を維持（ホールド）して移動先の座標入力を待機し、タッチ操作が行われると、その位置にターゲットを移動させて表示させるようにしてもよい。
【００４８】
すなわち、ホールドは、ハードウェアキー（操作部４０）を押し続けずに維持するようにしてもよい。なおこのようにターゲット設定をホールドする場合は、他の操作と区別するために、特殊な操作（上記「つまむ」操作、タップ操作や、ダブルクリック操作、１秒以上の連続した接触操作など）で設定するようにしてもよい。
【００４９】
そしてまた、第１タッチパネル２１（あるいは第２タッチパネル２２）に、第２タッチパネル２２（あるいは第１タッチパネル２１）に通ずる入口を意味するトンネル入口アイコン（またはワープ入口アイコン）を表示しておき、また第２タッチパネル２２（あるいは第１タッチパネル２１）には、上記トンネル入口アイコン（またはワープ入口アイコン）からの出口を意味するトンネル出口アイコン（またはワープ出口アイコン）を表示する。
【００５０】
そして、移動させたい描画オブジェクトをドラッグさせて上記トンネル入口アイコン（またはワープ入口アイコン）に重ねると、この操作を主制御部１００が検出し、トンネル入口アイコン（またはワープ入口アイコン）に重ねられた描画オブジェクトを消去し、トンネル出口アイコン（またはワープ出口アイコン）上に表示する。このような処理によっても、描画オブジェクトを複数のタッチパネル間で目的の位置に正確に移動させて表示させることができる。なお、１つのタッチパネル（２１あるいは２２）上において、トンネル入口アイコン（またはワープ入口アイコン）とトンネル出口アイコン（またはワープ出口アイコン）を１つのアイコンで兼用するようにしてもよい。
【００５１】
また上記実施の形態では、ステップ３ａでタッチ操作がされたと判定してからステップ３ｄでハードウェアキーの押下を検出するものとして説明したが、これに加え、もしくはこれに代わって例えば、タッチ操作よりも先にハードウェアキー押下を検出してターゲットを設定しても良い。すなわち、ステップ３ａ〜３ｃとステップ３ｄの順序を入れ替えても良く、タッチ操作を検出していない状態でハードウェアキーの押下を検知し（ステップ３ｄに相当）、その後、描画オブジェクトが表示されている座標へのタッチ操作を検知したときに（ステップ３ａ〜３ｃ）、その描画オブジェクトをターゲットとして設定しても良い。
【００５２】
さらに、第１タッチパネル２１と第２タッチパネル２２は、１つの装置上に設けられるものとして説明したが、異なる２つの装置上にそれぞれ１つずつ設けられたものであってもよい。この場合、２つの装置が相互に無線通信する無線通信部（赤外線通信やBluetooth（登録商標）などの近距離無線通信部）を備え、移動対象の描画オブジェクトが存在する装置Ａにおいて、図３に示した処理を実施する。
【００５３】
ただし、ステップ３ｈに至ると、装置Ａは、移動先となる装置Ｂに対して、移動位置の指定を待機する旨を無線通信により通知し、この通知を受けた装置Ｂは、ステップ３ｈの検出に相当する処理として、タッチ操作による位置指定を検出し、この検出結果を上記装置Ａに返信する。
【００５４】
そして装置Ａでは、ステップ３ｉにおいて、描画オブジェクトのデータを上記無線通信部を通じて装置Ｂに送信し、これを装置Ｂは同装置が備える無線通信部により受信し、ステップ３ｈで検出した位置に、上記データに基づいて描画オブジェクトを表示する。このように、２つのタッチパネルが別々の装置に搭載される場合でも、両者の間で通信することにより、描画オブジェクトを伝送することができる。
【００５５】
また上記実施の形態では、タッチパネルを例に挙げて説明したが、接触が不要な近接センサなどでユーザ操作を検出するようにしてもよい。  
そしてまた、ステップ３ｆでＹｅｓとなり、移動対象となる描画オブジェクトが確定した後は、主制御部１００が、モーションセンサ部８０の検出結果を利用し、姿勢の傾きにしたがって、描画オブジェクトが高い方から低い方に流れ落ちるように移動させて、水平になると移動を停止させてその位置に描画オブジェクトを留まらせて表示するようにしてもよい。すなわち、当該携帯電話機の姿勢で、移動先の位置を指定するようにしてもよい。  
その他、この発明の要旨を逸脱しない範囲で種々の変形を施しても同様に実施可能であることはいうまでもない。
【符号の説明】
【００５６】
１…第１筐体、２…第２筐体、３…ヒンジ、１０…無線通信部、２０…表示入力部、２１…タッチパネル、２１ｂ…操作パネル、２１ａ…表示パネル、２２…タッチパネル、２２ｂ…操作パネル、２２ａ…表示パネル、３０…通話部、３１…スピーカ、３２…マイクロホン、４０…操作部、４１…カメラ部、５０…記憶部、６０…赤外線通信部、７０…GPS受信部、８０…モーションセンサ部、９０…電源部、１００…主制御部、ＢＳ…基地局装置、ＭＳ…携帯電話機、ＮＷ…移動通信網、ＳＴ１〜ＳＴｎ…GPS衛星。
【図１】
0005510008.tif 000002
【図２】
0005510008.tif 000003
【図３】
0005510008.tif 000004